(57)【要約】【課題】  適切なｐＨ値であって溶存水素量の多いアルカリイオン水を生成することができる電解水生成装置を提供する。【解決手段】  隔膜１５ａ、１５ｂにより陰極室１４ａと陽極室１４ｂとに分割され、陰極室１４ａ及び陽極室１４ｂの各々に電気分解を行うための陰極室用電極板１６ａ、１６ｂ、陽極室用電極板１７が挿入され、通水された原水を電気分解してアルカリイオン水及び酸性イオン水を生成する電解槽１４と、電解槽１４に原水を導入する陰極室用導入路１１、陽極用導入路１２と、電解槽１４内の陰極室１４ａで生成されたアルカリイオン水を吐出する吐水路１８と、電解槽１４内の陽極室１４ｂで生成された酸性イオン水を排出する排水路１９ｂと、導入路５又は吐水路１８に設けられて、供給された原水又はアルカリイオン水にｐＨ緩衝剤を供給するｐＨ緩衝剤供給部１０と、電解槽１４の電極に印加する電解の強度を制御する制御部２６と、を備える。【選択図】      図１
2014008433.tif 000002
【特許請求の範囲】
【請求項１】
隔膜により陰極室と陽極室とに分割され、前記陰極室及び前記陽極室の各々に電気分解を行うための電解用電極が挿入され、通水された原水を電気分解してアルカリイオン水及び酸性イオン水を生成する電解槽と、
前記電解槽に原水を導入する導入路と、
前記電解槽内の陰極室で生成されたアルカリイオン水を吐出する吐水路と、
前記電解槽内の陽極室で生成された酸性イオン水を排出する排水路と、
前記導入路又は前記吐水路に設けられて、供給された原水又はアルカリイオン水にｐＨ緩衝剤を供給するｐＨ緩衝剤供給部と、
前記電解槽の電解用電極に印加する電解の強度を制御する制御部と、
を備えることを特徴とする電解水生成装置。
【請求項２】
前記アルカリイオン水のｐＨ値に基づいて、前記ｐＨ緩衝剤供給部によるｐＨ緩衝剤の添加量を調整可能な開閉弁を備えることを特徴とする請求項１に記載の電解水生成装置。
【発明の詳細な説明】
【技術分野】
【０００１】
本発明は、電解水を生成する電解水生成装置に関する。
【背景技術】
【０００２】
近年の安全な水や健康に対する関心の高まりに伴って、水道水等の原水を電解槽内で電気分解することでアルカリイオン水と酸性イオン水を生成する電解水生成装置が知られている。この電解水生成装置は、アルカリイオン水と酸性イオン水の一方を吐水路から利用可能に吐出し、他方を排水路から排出する。特に健康に良いとされるアルカリ性水については飲用に供される。
【０００３】
また、最近において溶存水素量の多い飲用水は、例えばパーキンソン病やメタボリックシンドローム、生活習慣病等の予防や改善に効果があるという研究報告がある。このことから、溶存水素量が多いアルカリイオン水を生成可能な電解水生成装置が望まれている。
【０００４】
しかしながら、溶存水素量は電解槽における電解の強度に依存する。このため、溶存水素量の多いアルカリイオン水を生成しようとしても、ｐＨ値が高くなる。ｐＨ値が高いアルカリイオン水を、飲用に適したｐＨ値が１０未満の水にするためには、電解の強度をある程抑える必要があった。これにより、アルカリイオン水の溶存水素量を多くすることが困難となっていた。
【０００５】
そこで、例えば下記の特許文献１に記載された技術では、陰極で生成されたアルカリイオン水に、ｐＨ調整剤を添加し、アルカリイオン水のｐＨ値を１０未満に調整する電解水生成装置が提案されている。
【先行技術文献】
【特許文献】
【０００６】
【特許文献１】特開２００９−１６０５０３号公報
【発明の概要】
【発明が解決しようとする課題】
【０００７】
特許文献１に記載された電解水生成装置は、ｐＨ調整剤として、クエン酸、クエン酸三ナトリウム、レモンなどの酸性物質を使用している。このため、生成されたアルカリイオン水のｐＨ強度に対してｐＨ調整剤の添加量が多すぎる場合には、生成されたアルカリイオン水が中和されて中性となってしまう。更にｐＨ調整剤の添加量が多い場合には、酸性の水になってしまう可能性も生じる。
【０００８】
そこで、本発明は、上述した実情に鑑みて提案されたものであり、適切なｐＨ値であって溶存水素量の多いアルカリイオン水を生成することができる電解水生成装置を提供することを目的とする。
【課題を解決するための手段】
【０００９】
本発明の第１の態様に係る電解水生成装置は、隔膜により陰極室と陽極室とに分割され、前記陰極室及び前記陽極室の各々に電気分解を行うための電解用電極が挿入され、通水された原水を電気分解してアルカリイオン水及び酸性イオン水を生成する電解槽と、前記電解槽に原水を導入する導入路と、前記電解槽内の陰極室で生成されたアルカリイオン水を吐出する吐水路と、前記電解槽内の陽極室で生成された酸性イオン水を排出する排水路と、前記導入路又は前記吐水路に設けられて、供給された原水又はアルカリイオン水にｐＨ緩衝剤を供給するｐＨ緩衝剤供給部と、前記電解槽の電解用電極に印加する電解の強度を制御する制御部と、を備えることを特徴とする。
【００１０】
本発明の第２の態様に係る電解水生成装置は、上記第１の態様の電解水生成装置であって、前記アルカリイオン水のｐＨ値に基づいて、前記ｐＨ緩衝剤供給部によるｐＨ緩衝剤の添加量を調整可能な開閉弁を備えることを特徴とする。
【発明の効果】
【００１１】
本発明によれば、原水又はアルカリイオン水にｐＨ緩衝剤を供給するので、適切なｐＨ値であって溶存水素量の多いアルカリイオン水を生成することができる。
【図面の簡単な説明】
【００１２】
【図１】本発明の第１実施形態として示す電解水生成装置の構成を示すブロック図である。
【図２】本発明の第１実施形態として示す電解水生成装置における他の構成を示すブロック図である。
【図３】本発明の第２実施形態として示す電解水生成装置の構成を示すブロック図である。
【図４】本発明の第２実施形態として示す電解水生成装置における他の構成を示すブロック図である。
【発明を実施するための形態】
【００１３】
以下、本発明の実施の形態について図面を参照して説明する。
【００１４】
［第１実施形態］
本発明の第１実施形態として示す電解水生成装置は、例えば図１に示すように構成される。
【００１５】
電解水生成装置は、原水管１及び水栓２を介して原水が供給される本体部３を有する。本体部３の上部には、電解水としてのアルカリイオン水を吐出する吐水路１８が設けられている。本体部３の下部には、電解水の酸性イオン水を排出する排水路１９ｂが設けられている。本体部３は、電源プラグ２４によって商用電源と接続して、電解水を生成するよう駆動する。
【００１６】
本体部３において、水栓２を介して原水管１から供給された原水は、浄水部４に導入される。浄水部４は、内部に原水中の残留塩素、トリハロメタン、カビ臭等を吸着する活性炭、一般細菌や不純物を精度よく取り除く中空糸膜等を備えている。浄水部４によって濾過された原水は、導入路５ａ、５ｂ、５ｃに導入される。
【００１７】
この濾過された原水は、流量検知部６によって、その流量が検知される。流量検知部６は、検知した原水の流量値を、制御部２６に出力する。なお、流量検知部６は、本体部３への通水を検知する機能を併せ持つことになる。
【００１８】
濾過された原水は、導入路５ｃと導入路５ｂとに分岐する。原水の一部は、導入路５ｃに設けられたカルシウム供給部用絞り７を介してカルシウム供給部８に供給される。カルシウム供給部８は、グリセロリン酸カルシウムや乳酸カルシウム等のカルシウムイオンを原水中に付与する。これにより、カルシウム供給部８は、原水の電気伝導度を高める。カルシウム供給部用絞り７は、その開口が制限されており、導入路５ｃを流れる流量を制限する。カルシウム供給部８を通過した原水は、導入路５ｂの原水と合流して、導入路５ｄに導かれる。
【００１９】
導入路５ｄの原水は、導入路５ｅと導入路５ｆとに分岐する。原水の一部は、導入路５ｆに設けられたｐＨ緩衝剤供給部用絞り９を介してｐＨ緩衝剤供給部１０に供給される。ｐＨ緩衝剤供給部１０は、ｐＨ緩衝剤を原水に供給する。ｐＨ緩衝剤は、炭酸水素ナトリウムや炭酸水素カリウム等の炭酸水素塩や、リン酸二水素ナトリウムやリン酸二水素カリウム等のリン酸塩や酢酸ナトリウムや酢酸カリウム等の酢酸塩等のｐＨ緩衝性能を有する剤である。これにより、ｐＨ緩衝剤供給部１０は、導入された原水にｐＨ緩衝作用を発揮させる。ｐＨ緩衝剤供給部用絞り９は、その開口が制限されており、ｐＨ緩衝剤供給部１０に導入される原水の流量を制限する。ｐＨ緩衝剤供給部１０を通過した原水は、導入路５ｅの原水と合流して、導入路５ｇに導かれる。
【００２０】
導入路５ｇに導かれた原水は、当該導入路５ｇから分岐して、第１電極室用導入路１１及び第２電極室用導入路１２に導入される。第２電極室用導入路１２には、第２電極室用絞り１３が設けられている。第２電極室用絞り１３は、第２電極室用導入路１２を流れる流量を調整する。
【００２１】
第１電極室用導入路１１及び第２電極室用導入路１２を通過した原水は、電解槽１４に供給される。電解槽１４は、通水された原水を電気分解する。これにより電解槽１４は、電解水としてのアルカリイオン水及び酸性イオン水を生成する。電解槽１４は、隔膜１５ａ、１５ｂと、第１電極室１４ａと、第２電極室１４ｂと、第１電極室用電極板１６ａ、１６ｂと、第２電極室用電極板１７とを有する。第１電極室用電極板１６ａ、１６ｂ及び第２電極室用電極板１７は電極室用電極として機能する。隔膜１５ａ、１５ｂは、電解槽１４を分割することにより、第１電極室１４ａと第２電極室１４ｂとを形成する。
【００２２】
第１電極室用電極板１６ａ、１６ｂは、第１電極室１４ａに配置されている。第１電極室用電極板１６ａ、１６ｂは、制御部２６の制御に従って電圧が印加される。第１電極室用電極板１６ａ、１６ｂは、電圧が印加されることにより原水を電気分解し、電解水を生成する。第１電極室１４ａの電解水は、第１電極室１４ａから吐水路１８及び吐水バイパス路２１に導入される。第１電極室用電極板１６ａ、１６ｂが陰極である場合、吐水路１８は、アルカリイオン水を吐出する。
【００２３】
吐水バイパス路２１は吐水路１８から分岐している。吐水バイパス路２１には、吐出バイパス路用絞り２２及びｐＨセンサー部２３が設けられている。吐出バイパス路用絞り２２は、吐水バイパス路２１を流れる流量を制限する。ｐＨセンサー部２３は、第１電極室１４ａ内の水のｐＨ値を測定する。測定されたｐＨ値は、制御部２６に出力される。
【００２４】
第２電極室用電極板１７は、第２電極室１４ｂに配置されている。第２電極室用電極板１７は、制御部２６の制御に従って電圧が印加される。第２電極室用電極板１７は、電圧が印加されることにより原水を電気分解し、電解水を生成する。第２電極室１４ｂの電解水は、排水路１９ａに供給される。第２電極室用電極板１７が陽極である場合、排水路１９ａは、酸性イオン水を排出する。
【００２５】
排水路１９ａには、排水路用絞り２０が設けられている。排水路用絞り２０は、排水路１９ａを流れる流量を制限する。排水路用絞り２０を通過した酸性イオン水は、排水路１９ｂを介して排出される。  
更に本体部３には、電源部２５が備えられる。電源部２５は、電源プラグ２４に接続されている。電源部２５は、電源プラグ２４から供給された交流電力を直流電力に変換して、制御部２６に供給する。制御部２６は、電源部２５から供給された電力を第１電極室用電極板１６ａ、１６ｂ及び第２電極室用電極板１７に印加する。これにより、制御部２６は、電気分解を行うための電解エネルギーを電解槽１４に供給する。更に、制御部２６は、電解槽１４の第１電極室用電極板１６ａ、１６ｂ及び第２電極室用電極板１７に印加する電解の強度を制御する。
【００２６】
更に本体部３は、操作表示部２７が備えられる。操作表示部２７は、操作ボタンや液晶ディスプレイ等からなる。操作表示部２７は、利用者による操作を受け付け、電解水生成装置の設定や状態を表示する。操作表示部２７は、電解水生成装置がアルカリイオン水や酸性イオン水を生成することが設定可能である。更に操作表示部２７は、浄水部４による浄水の水質が設定可能である。更に操作表示部２７は、アルカリイオン水のｐＨ強度が設定可能である。その他、操作表示部２７は、各種機能の選択設定を行うことが可能である。
【００２７】
上述した電解水生成装置は、以下のように動作して、適切なｐＨ値であって溶存水素量の多いアルカリイオン水を生成する。
【００２８】
電解水生成装置の利用者は、操作表示部２７に対するボタン操作によって、アルカリイオン水生成モード、酸性イオン水生成モード又は浄水モード等、所望の水質モード及びｐＨ強度を選択する。次に利用者によって水栓２が開かれると、原水管１から本体部３へ原水が通水される。
【００２９】
水栓２から本体部３に導入された原水は、浄水部４で原水中の残留塩素やトリハロメタン、カビ臭、一般細菌等の不純物が取り除かれる。
【００３０】
濾過された原水は、導入路５ａを通って流量検知部６を通過した後、その一部が導入路５ｃ側に分岐されてカルシウム供給部用絞り７にて適量に流量制限される。この原水は、カルシウム供給部８にてグリセロリン酸カルシウムや乳酸カルシウム等が溶解されて電気分解容易な水に処理され、導入路５ｂの原水と合流する。なお、カルシウム供給部８は、直接グリセロリン酸カルシウムや乳酸カルシウム等を投入し流水中で混濁溶解させる構造でも良いし、メッシュを有するハウジングに投入した後に供給部に挿入し、メッシュとの界面で水流により溶解させる構造でも良い。また、これらグリセロリン酸カルシウムや乳酸カルシウム等の形状は粉末状、顆粒状、錠剤状のいずれでも良いが、剤の安定溶解の見地から顆粒状にするのが望ましい。
【００３１】
合流された原水は、再びその一部が導入路５ｆ側に分岐されてｐＨ緩衝剤供給部用絞り９にて適量に流量制限される。この原水は、ｐＨ緩衝剤供給部１０にてｐＨ緩衝剤が溶解された後、導入路５ｅの原水と合流する。なお、ｐＨ緩衝剤供給部１０は、ｐＨ緩衝剤を投入し、流水中で混濁溶解させる構造でも良いし、メッシュを有するハウジングに投入した後に供給部に挿入し、メッシュとの界面で水流により溶解させる構造でも良い。なお、これらｐＨ緩衝剤の形状は粉末状、顆粒状、錠剤状のいずれでも良いが剤の安定溶解の見地から顆粒状にするのが望ましい。
【００３２】
その後、原水は、第１電極室用導入路１１及び第２電極室用導入路１２を経て、それぞれの第１電極室１４ａ、第２電極室１４ｂに導入される。ここで、第２電極室用絞り１３は第１電極室１４ａ及び第２電極室１４ｂの内圧バランスを調整する。このために、第２電極室用絞り１３は、第１電極室１４ａの出口側と第２電極室１４ｂの出口側を通過する流量比に対して第１電極室用導入路１１と第２電極室用導入路１２を通過する流量比を変える。本実施形態では、(第１電極室１４ａの出口側流量)／(第２電極室１４ｂの出口側流量)≒ (第１電極室用導入路１１の流量)／(第２電極室用導入路１２の流量)となるように調整する。これにより、第１電極室１４ａ内の水と第２電極室１４ｂ内の水が混じり合わない状態となっている。
【００３３】
電源プラグ２４から電源部２５には、ＡＣ１００Ｖが供給されている。電源部２５内のトランス及び制御用直流電源は、電気分解に必要なエネルギーを発生させる。この必要なエネルギーは、制御部２６を介して電解槽１４の第１電極室用電極板１６ａ、１６ｂ及び第２電極室用電極板１７に供給される。この時、相対的にプラスの電圧を印加する電極を陽極、マイナスの電圧を印加する電極を陰極とすると、電解槽１４内に隔膜１５ａ、１５ｂで仕切られた陽極室と陰極室とが形成される。なお、アルカリイオン水生成モード時においては、第１電極室用電極板１６ａ、１６ｂが陰極となり、第２電極室用電極板１７が陽極となる。
【００３４】
上述したように本体部３に通水が開始されると、制御部２６は、流量検知部６からの出力信号を読み取る。単位時間当たりに流れる流量レベルが一定量を越えると、制御部２６は、通水中と判断する。制御部２６は、予め選択されている水質モード及びｐＨ強度に応じた電気分解条件に基づいて、電解槽１４に対して所定の電解エネルギーを供給する。
【００３５】
これにより、アルカリイオン水生成モード時においては、第１電極室用電極板１６ａ、１６ｂが陰極となり、アルカリイオン水が生成され、吐水路１８より吐出される。一方、第２電極室用電極板１７は陽極となり、酸性イオン水が生成され、排水路１９ａを通過後、排水路用絞り２０で適量に流量制限され、排水路１９ｂより排出される。
【００３６】
このように生成されたアルカリイオン水は吐水路１８から吐出されて飲用に供される。アルカリイオン水の一部は、吐水バイパス路２１に分岐されて吐水バイパス路用絞り２２で適量に流量制限され、ｐＨセンサー部２３に導入されてｐＨ値の測定が行われる。制御部２６は、ｐＨセンサー部２３からの出力信号を読み取り、操作表示部２７により設定されているｐＨ強度となるように逐次電解エネルギーを調整する制御を行う。
【００３７】
ｐＨセンサー部２３を通過したアルカリイオン水は、排水路１９ｂと合流した後、排水として排出される。電気分解される原水には、ｐＨ緩衝剤供給部１０にてｐＨ緩衝剤が溶解されている。このため、アルカリイオン水のｐＨ値を所望のｐＨ強度まで上げるためには、ｐＨ緩衝剤が溶解されていない原水に対してより多くの電解のエネルギーを印加することができる。電気分解反応で生成されたＯＨマイナスイオン含まれるアルカリイオン水にｐＨ緩衝剤が溶けた時に、ｐＨ緩衝剤から乖離した水素イオンがＯＨマイナスイオンに中和されるためである。具体的には、（１）のように解離した炭酸水素ナトリウムや（２）のように解離した炭酸水素塩から出現した水素イオンにより、（３）のようにＯＨマイナスイオンが中和され、アルカリイオン水のｐＨ値が中性に戻されるためである。
【００３８】
ＮａＨＣＯ３→Ｎａ＋＋ＨＣＯ３−       （１）
ＨＣＯ３−→Ｈ＋＋ＣＯ３２−        （２）
ＯＨ−＋Ｈ＋→Ｈ２Ｏ     （３）
なお、電気分解で発生した水素ガスはイオンの状態ではないので、電気分解反応には影響されない。これにより、同じ設定のｐＨ強度であってもより多くの水素ガスが発生して、アルカリイオン水の溶存水素量を多くすることができる。
【００３９】
また、飲用可能且つアルカリイオン水中の溶存水素量をできるだけ多くするために、制御部２６は、ｐＨ値が１０以上とならない範囲で、できるだけ高いｐＨ値となるように電解のエネルギーを調整することが望ましい。
【００４０】
単位時間当たりに流れる原水の流量レベルが一定量を下回ると、制御部２６は、当該状態を止水と判断し、電解槽１４への電解のエネルギーの供給を終了する。制御部２６は、止水後の一定時間に亘り、第１電極室用電極板１６ａ、１６ｂに相対的にプラス電圧を印加し、第２電極室用電極板１７にマイナス電圧を印加する。これにより、第１電極室用電極板１６ａ、１６ｂに付着したカルシウム等のスケールを洗浄・除去する。
【００４１】
以上のように第１実施形態として示した電解水生成装置によれば、電解槽１４の前段である導入路５ｆにｐＨ緩衝剤供給部１０を設けている。電解水生成装置は、適切なｐＨ値のアルカリイオン水とするために、高い電解エネルギーによってアルカリイオン水を生成できる。これにより、電解水生成装置は、溶存水素量の多いアルカリイオン水を生成することができる。また、電解水生成装置は、原水にｐＨ緩衝剤を投入しているので、生成されたアルカリイオン水を中和しすぎることもない。
【００４２】
また、第１実施形態として示す電解水生成装置は、図２に示すように、ｐＨ緩衝剤供給部用絞り９及びｐＨ緩衝剤供給部１０を、吐水路１８から分岐した吐水路１８ａに設けてもよい。電解水生成装置は、吐水路１８ａの吐水にｐＨ緩衝剤を投入し、当該吐水と吐水路１８の吐水とを混合する。これにより、電解水生成装置は、吐水路１８から吐出されるアルカリイオン水のｐＨ値を抑制する。このような電解水生成装置は、生成されたアルカリイオン水を中和しすぎることもなく、且つ、ｐＨ値を過度に上昇させることなく、溶存水素量の多いアルカリイオン水を生成することができる。
【００４３】
［第２実施形態］
つぎに、本発明の第２実施形態として示す電解水生成装置について、図３を参照して説明する。なお、上述した第１実施形態と同一の部分については同一符号を付することによりその詳細な説明を省略する。
【００４４】
第２実施形態として示す電解水生成装置は、ｐＨ緩衝剤供給部１０によるｐＨ緩衝剤の添加量を吐水のｐＨ値を基に調整可能な開閉弁２８を備える点で、第１実施形態の電解水生成装置とは異なる。開閉弁２８は、制御部２６の制御に従ってアクチュエータ２８ａが動作し、その開度が調整される。制御部２６は、ｐＨセンサー部２３により検出されたアルカリイオン水のｐＨ値に基づいて、ｐＨ緩衝剤供給部によるｐＨ緩衝剤の添加量を調整する制御信号を開閉弁２８に供給する。
【００４５】
この電解水生成装置において、飲用可能且つアルカリイオン水中の溶存水素量をできるだけ多くするためには、電解水生成装置の持っている電解の最大エネルギーを供給することが望ましい。電解エネルギーを最大とするとｐＨ値が高くなるため、制御部２６は、電解エネルギーに基づいて、ｐＨ値を１０以上とならない範囲で、開閉弁２８の開度を調整することが望ましい。
【００４６】
制御部２６は、アルカリイオン水のｐＨ値を検知しながら適宜、開閉弁２８の開度を制御する。これにより、アルカリイオン水のｐＨ緩衝剤の溶解性能が変化しても、吐水のｐＨ値を安定させることができる。
【００４７】
また、制御部２６は、操作表示部２７によって所望のｐＨ強度が設定されている場合であっても、最大の電解エネルギーを供給している状態で、ｐＨセンサー部２３により検知されているｐＨ値を、所望のｐＨ強度となるまで開閉弁２８の開度を調整する。ｐＨ値を高くするよう設定されている場合、制御部２６は、開閉弁２８の開度を小さくする。一方、ｐＨ値を低くするよう設定されている場合、制御部２６は、開閉弁２８の開度を大きくする。
【００４８】
以上のように、第２実施形態として示した電解水生成装置は、第１実施形態と同様に、電解槽１４の前段である導入路５ｆにｐＨ緩衝剤供給部１０を設けている。これにより、電解水生成装置は、電解エネルギーを最大にしてもｐＨ緩衝剤の添加量を調整して所望のｐＨ強度のアルカリイオン水を吐出させることができる。更に、アルカリイオン水を中和しすぎることを更に抑制でき、溶存水素量の多いアルカリイオン水を生成することができる。
【００４９】
また、第２実施形態として示す電解水生成装置は、図４に示すように、開閉弁２８及びｐＨ緩衝剤供給部１０を、吐水路１８から分岐した吐水路１８ａに設けてもよい。電解水生成装置は、吐水路１８ａの吐水にｐＨ緩衝剤を投入し、当該吐水と吐水路１８の吐水とを混合する。このとき、制御部２６は、ｐＨセンサー部２３により検知したアルカリイオン水のｐＨ値に基づいて、所望のｐＨ値とするように開閉弁２８を開閉する。これにより、電解水生成装置は、吐水路１８から吐出されるアルカリイオン水のｐＨ値を抑制する。このような電解水生成装置は、生成されたアルカリイオン水を中和しすぎることもなく、且つ、ｐＨ値を過度に上昇させることなく、溶存水素量の多いアルカリイオン水を生成することができる。
【００５０】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００５１】
１０  ｐＨ緩衝剤供給部
１１  第１電極室用導入路
１４  電解槽
１４ａ  第１電極室
１４ｂ  第２電極室
１５ａ、１５ｂ  隔膜
１６ａ、１６ｂ  第１電極室用電極板（電解用電極）
１７  第２電極室用電極板（電解用電極）
１８  吐水路
１９  排水路
２６  制御部
２８  開閉弁
【図１】
2014008433.tif 000003
【図２】
2014008433.tif 000004
【図３】
2014008433.tif 000005
【図４】
2014008433.tif 000006